(57)【要約】【課題】自動販売機に連結するモバイル決済端末機を提供する。【解決手段】自動販売機に既存の決済モジュールを代替して設けられるモバイル決済端末機に対する技術が開示される。一実施形態によるモバイル決済端末機は、モバイル端末機と近距離無線通信で連結される近距離通信部と、自動販売機の識別情報をブロードキャスティングするビーコン通信部と、既存の決済モジュールのうち、１つを代替して自動販売機制御器の入出力バスと連結されるバスインターフェース部と、置き換えられた既存の決済モジュールの決済プロセスをエミュレーションして、選択された商品の販売金額に該当する金額を近距離通信部で連結されたモバイル端末機に決済要請し、モバイル端末機から決済済みが確認されれば、決済済みメッセージをバスインターフェース部を通じて伝達して、商品排出を要求するモバイル決済処理部を含む制御部を含んでモバイル決済を通じる商品販売サービスを提供する。【選択図】図２
2019036292.tif 000002
【特許請求の範囲】
【請求項１】
モバイル端末機と近距離無線通信で連結される近距離通信部と、
既存の決済モジュールのうち、１つを代替して自動販売機コントローラの入出力バスと連結されるバスインターフェース部と、
置き換えられた既存の決済モジュールの決済プロセスをエミュレーションして、選択された商品の販売金額に該当する金額を前記近距離通信部で連結されたモバイル端末機に決済要請し、モバイル端末機から決済済みが確認されれば、決済済みメッセージを前記バスインターフェース部を通じて伝達して、商品排出を要求するモバイル決済処理部を含む制御部と、
を含む自動販売機に連結されるモバイル決済端末機。
【請求項２】
前記バスインターフェース部は、
既存の決済モジュールが連結される第１連結端と、
モバイル決済端末機の回路が連結される第２連結端と、
自動販売機コントローラの入出力バスに連結される第３連結端と、
選択された決済方法によって、第１連結端と第２連結端とのうち何れか１つを第３連結端に連結する決済選択スイッチと、を含み、
前記制御部は、
前記近距離通信部で連結されたモバイル端末機から取引要請を受ければ、前記決済選択スイッチを第２連結端に連結するように制御するモバイル選択部をさらに含む請求項１に記載のモバイル決済端末機。
【請求項３】
前記制御部は、
第１連結端に既存の決済モジュールが連結されれば、デフォルトで決済選択スイッチが第１連結端と第３連結端とを連結し、第１連結端に既存の決済モジュールが連結されなければ、デフォルトで決済選択スイッチが第２連結端と第３連結端とを連結するように制御するデフォルト動作制御部をさらに含む請求項２に記載のモバイル決済端末機。
【請求項４】
前記近距離通信部で連結されたモバイル端末機から取引要請を受ければ、最初現金が最も高い製品の金額ほど投入されたと表示して、製品選択ボタンを活性化させ、決済後には残高が０に処理されるように作動する請求項１に記載のモバイル決済端末機。
【請求項５】
前記近距離通信部で連結されたモバイル端末機から取引要請を受ければ、既定の金額ほど投入されたと表示して、製品選択ボタンを活性化させ、製品選択時ごとに製品金額ほど決済要請し、決済済み後、商品を排出し、連続して製品購買が可能になるように残高を表示する請求項１に記載のモバイル決済端末機。
【請求項６】
自動販売機の識別情報をブロードキャスティングするビーコン通信部をさらに含む請求項１に記載のモバイル決済端末機。
【請求項７】
前記制御部は、
前記近距離通信部を通じてモバイル端末機が連結されれば、前記ビーコン通信部が、現在自動販売機が使用中であることを知らせるメッセージをブロードキャスティングするように制御する使用中表示部をさらに含む請求項６に記載のモバイル決済端末機。
【発明の詳細な説明】
【技術分野】
【０００１】
本発明は、モバイル決済装置に係り、特に、一般自動販売機に連結し、モバイル端末を用いて決済するＯ２Ｏ決済端末機に関する。
【背景技術】
【０００２】
一般的に、自動販売機は、小銭、紙幤またはクレジットカードのような支払手段によって商品またはサービスを自動で販売する機械を称する。自動販売機は、狭い面積に設置可能であり、無人販売による人件費節減などの長所によって、どこででも容易に利用できるように、多くの場所に設けられて運用されている。
【０００３】
既存の自動販売機は、現金支払手段のみ備えているか、これと共にクレジットカード支払手段を備えている。現金支払手段のみ備えている場合には、利用者が小銭や小額の紙幤を保有していない場合には、自動販売機の商品を購買することができないという問題が生じ、クレジットカード支払手段は、クレジットカードリーダー機以外に自動販売機内にモデム通信装置などを設置しなければならない負担がある。
【０００４】
特許文献１には、自動販売機のクレジットカード決済端末機ではない顧客の移動端末機で広告視聴で獲得したポイントまたはクレジットカードを使用して決済を行って、自動販売機で商品を購買することができる構成が提示されている。しかし、先行技術は、サーバで商品の排出を要求するなど、普及された自動販売機の決済プロセスに従わず、既に普及された自動販売機には、適用が不可能な問題点がある。
【先行技術文献】
【特許文献】
【０００５】
【特許文献１】大韓民国公開特許第１０−２０１３−００１２１６７号
【発明の概要】
【発明が解決しようとする課題】
【０００６】
本発明は、自動販売機内にモデム通信装置が設けられていないとしても、クレジットカードなど現金以外の支払手段で自動販売機商品の販売を可能にすることにその目的がある。
【０００７】
また、既存の自動販売機のコントローラのハードウェア構成やファームウェアを変更せずとも、追加の決済端末機を設置可能にすることにその目的がある。
【０００８】
また、ユーザが自動販売機商品を購買する間に、自動販売機を利用しようとする他のユーザに自動販売機が使用中であることを知らせる機能を提供することにその目的がある。
【課題を解決するための手段】
【０００９】
前記目的を果たすための本発明の一態様によれば、自動販売機に連結されるモバイル決済端末機は、近距離通信部と、バスインターフェース部と、モバイル決済処理部を含む制御部と、を含む。
【００１０】
本発明のモバイル決済端末機は、自動販売機の既存の決済モジュールのうち、１つを代替して設けられる。
【００１１】
本発明のさらに他の態様によれば、自動販売機に連結されるモバイル決済端末機のバスインターフェース部は、第１連結端と、第２連結端と、第３連結端と、決済選択スイッチと、を含み、制御部は、モバイル選択部をさらに含みうる。
【００１２】
本発明のさらに他の態様によれば、自動販売機に連結されるモバイル決済端末機の制御部は、デフォルト動作制御部をさらに含みうる。
【００１３】
本発明のさらに他の態様によれば、自動販売機に連結されるモバイル決済端末機は、ビーコン通信部をさらに含みうる。
【００１４】
本発明のさらに他の態様によれば、自動販売機に連結されるモバイル決済端末機の制御部は、使用中表示部をさらに含みうる。
【発明の効果】
【００１５】
ユーザのモバイル端末機を用いてクレジットカードなどのオンライン決済がなされので、モデム通信装置が設けられていない自動販売機であっても、現金以外の支払いも、モバイル決済端末機が既存の自動販売機の入出力バスに連結されて、既存の決済モジュールをエミュレーションするので、自動販売機コントローラのハードウェア構成やファームウェアを変更せずとも、モバイル決済端末機を設置することができる。
【００１６】
また、自動販売機がユーザによって使用中である時、自動販売機を利用しようとする他のユーザに、使用中であることを知らせるメッセージをブロードキャスティングして、他のユーザをして、自動販売機が接続されない原因を知り得るようにする。
【図面の簡単な説明】
【００１７】
【図１】一実施形態によるモバイル決済端末機が設けられた自動販売機を利用した商品購買に係わるサービス概念図である。
【図２】一実施形態によるモバイル決済端末機の構成を示すブロック図である。
【図３】一態様によるモバイル決済端末機が自動販売機の内部に連結されることを示すブロック図である。
【図４】クレジットカード決済モジュールが備えられた既存の自動販売機の決済の流れの概念を示すフローチャートである。
【図５】クレジットカード決済モジュールを代替したモバイル決済端末機の決済の流れの概念を示すフローチャートである。
【図６】さらに他の実施形態によるモバイル決済端末機の自動販売機内のバス連結を示すブロック図である。
【図７】さらに他の態様によるモバイル決済端末機が自動販売機の内部に連結されることを示すブロック図である。
【図８】現金決済モジュールを利用した既存の自動販売機の決済の流れの概念を示すフローチャートである。
【図９】現金決済モジュールをエミュレーションするモバイル決済端末機の決済の流れの概念を示すフローチャートである。
【発明を実施するための形態】
【００１８】
前述した、そして、追加的な態様は、添付図面を参照して説明する実施形態を通じて具体化される。各実施形態の構成要素は、他の言及や相互間に矛盾がない限り、実施形態内で多様な組合わせが可能であると理解される。ブロック図の各ブロックは、如何なる場合において、物理的な部品を表現することができるが、さらに他の場合において、１つの物理的な部品の機能の一部あるいは複数の物理的な部品にわたった機能の論理的な表現である。時には、ブロックあるいはその一部の実体は、プログラム命令語の集合（ｓｅｔ）であり得る。このようなブロックは、全部あるいは一部がハードウェア、ソフトウェアあるいはこれらの結合によって具現可能である。
【００１９】
図１は、一実施形態によるモバイル決済端末機が設けられた自動販売機を利用した商品購買に係わるサービス概念図である。一態様によるモバイル決済端末機１００を利用した商品購買サービスのためのシステムは、モバイル決済端末機１００が設けられた自動販売機と、モバイル端末機と、サービスサーバと、決済サーバと、を含む。
【００２０】
モバイル決済端末機１００は、自動販売機の現金決済モジュール以外の既存の決済モジュールを代替して、または自動販売機に現金決済モジュールのみ設けられた場合には、現金決済モジュールと自動販売機制御器との間に自動販売機のハードウェアやファームウェアを変更せずとも、設けられるように既存の決済モジュールをエミュレーションする。
【００２１】
自動販売機は、よく見られる既存の自動販売機でモバイル決済端末機１００を設置するために、自動販売機の他の構成を変更するか、ファームウェアを変更する必要がない。
【００２２】
モバイル端末機は、モバイル決済端末機１００と近距離無線通信で連結され、自動販売機で選択した商品に対する決済手段を含むアプリケーションを実行させる。
【００２３】
決済サーバは、決済代行サービスを提供するＰＧ（Ｐａｙｍｅｎｔ  Ｇａｔｅｗａｙ）会社のサーバであって、モバイル端末機と決済サーバとの間は、通常のオンライン購買時になされる決済方法と同様にサービスがなされる。
【００２４】
図１に示したように、モバイル決済端末機１００が設けられた自動販売機での商品購買は、自動販売機を利用しようとする顧客が自動販売機に近付けば、顧客のモバイル端末機がモバイル決済端末機１００のビーコンでブロードキャストする自動販売機の識別情報を含む情報を受信する段階と、モバイル端末機が関連して設けられたアプリケーションを実行させて、サービスサーバに接続し、サービスサーバから自動販売機販売商品情報を受信する段階と、モバイル端末機が自動販売機に設けられたモバイル決済端末機１００と近距離無線通信で連結する段階と、モバイル端末機が選択された商品に対してモバイル決済端末機１００から決済を要請され、設けられたアプリケーションを通じて決済サーバを通じて決済を行う段階と、モバイル端末機が設けられたアプリケーションを通じて自動販売機に商品排出を要求する段階と、からなる。
【００２５】
図２は、一実施形態によるモバイル決済端末機の構成を示すブロック図である。
【００２６】
一態様によるモバイル決済端末機１００は、近距離通信部４００と、バスインターフェース部３００と、制御部２００と、を含む。
【００２７】
一態様によるモバイル決済端末機１００は、プロセッサ、メモリ、近距離通信モジュール、シリアル通信モジュールのハードウェアを含んで構成される。
【００２８】
一態様によれば、近距離通信部４００は、モバイル端末機と近距離無線通信で連結される。近距離通信部４００は、近距離無線通信プロトコルとしてブルートゥース（登録商標）を使用することができる。自動販売機は、ユーザが使用中であれば、他のユーザが使えないので、近距離通信部４００は、モバイル端末機と１対１連結のみを支援することが望ましい。
【００２９】
一態様によれば、バスインターフェース部３００は、既存の決済モジュールのうち、１つを代替して自動販売機コントローラの入出力バスと連結される。既存の決済モジュールは、現金決済モジュールまたはクレジットカード決済モジュールになりうる。普及された自動販売機のほとんどは、現金決済に利用されるために、クレジットカード決済モジュールを代替して設けられることが一般的である。
【００３０】
自動販売機は、現金決済モジュール以外に、クレジットカード決済モジュールを支援するものがあり、このような自動販売機には、クレジットカード決済モジュールが設けられている。
【００３１】
クレジットカード決済モジュールが設けられている場合には、バスインターフェース部３００は、クレジットカード決済モジュールを代替して自動販売機入出力バスに連結される。
【００３２】
一方、クレジットカード決済モジュールを設置することができるポートがあるが、クレジットカード決済モジュールが設けられていない場合には、クレジットカード決済モジュールの代わりに、自動販売機入出力バスに連結される。
【００３３】
置き換えられる決済モジュールをクレジットカードを例としたが、これに限定されるものではなく、普及された自動販売機によって、他の形態の決済モジュールが設けられているならば、当該決済モジュールを代替しうる。
【００３４】
この態様によれば、自動販売機入出力バスに連結された現金決済モジュールとモバイル決済端末機１００は、それぞれ区分される入出力バス上の固有のＩＤを有する。
【００３５】
普及されたほとんどの自動販売機は、現金決済手段のみ備えている。現金決済モジュールのみ備えた自動販売機にも、モバイル決済端末機１００が設けられるようにするために、発明のさらに他の態様によれば、バスインターフェース部３００は、自動販売機制御器と現金決済モジュールとの間で自動販売機入出力バスに連結される。言い換えれば、１つの決済手段のみ設けられているので、現金決済手段と区分される固有のＩＤをモバイル決済処理部２２０に付与することができない。したがって、現金決済モジュールとモバイル決済処理部２２０は、同一の固有のＩＤを有し、選択的に自動販売機制御部と通信する。
【００３６】
一態様によれば、制御部２００は、モバイル決済処理部２２０を含む。モバイル決済処理部２２０は、置き換えられた既存の決済モジュールの決済プロセスをエミュレーションして、選択された商品の販売金額に該当する金額を近距離通信部４００で連結されたモバイル端末機に決済要請し、モバイル端末機から決済済みが確認されれば、決済済みメッセージをバスインターフェース部３００を通じて伝達して、商品排出を要求する。
【００３７】
モバイル決済処理部２２０が、置き換えられた既存の決済モジュールの決済プロセスをエミュレーションすることと、バスインターフェース部３００が、既存の決済モジュールを代替して自動販売機入出力バスになることによって、モバイル決済端末機１００がハードウェアやファームウェアの変更なしに、既存の自動販売機に設けられて運用されうる。すなわち、自動販売機制御器は、クレジットカード決済モジュールなどがモバイル決済端末機１００と置き換えられたかを認識できず、自動販売機を制御する。
【００３８】
図３は、一態様によるモバイル決済端末機が自動販売機の内部に連結されることを示すブロック図である。図３に示したように、一態様によるモバイル決済端末機１００は、クレジットカード決済モジュールを代替して設けられることもある。
【００３９】
自動販売機制御器と各決済モジュールは、シリアル通信バスで連結されている。自動販売機制御器と各決済モジュールは、シリアルバスを用いて制御信号及びデータを送受信することができる。各決済モジュールごとに固有のＩＤが割り当てられており、自動販売機制御器が、これらを区分して通信することができる。
【００４０】
クレジットカード決済モジュールの場合、クレジットカード決済承認のために、加入者料金を発生させる移動通信端末機を決済モジュールの内部に含み、移動通信端末機を通じて決済承認が行われる。
【００４１】
一方、モバイル決済端末機１００は、直接決済承認を受けず、顧客のモバイル端末機を用いてモバイル決済がなされるので、モバイル決済端末機１００の内部に移動通信端末機を含む必要がない。したがって、モバイル決済端末機１００の場合には、クレジットカード決済モジュールとは異なって、移動通信を利用しないので、加入者料金が発生しないので、コストを節減することができる効果が発生する。
【００４２】
既存の自動販売機に設けられたクレジットカード決済モジュールを代替したモバイル決済端末機１００は、自動販売機の他のハードウェア構成やファームウェアを変更しないようにするために、クレジットカード決済モジュールをエミュレーションする。
【００４３】
図４は、クレジットカード決済モジュールが備えられた既存の自動販売機の決済の流れの概念を示すフローチャートである。
【００４４】
顧客がクレジットカードをクレジットカードリーダー機に接触するか、読み取られれば、クレジットカード決済モジュールは、自動販売機制御器にクレジットカード決済が選択（ステップＳ１０００）されたという制御信号を伝送する。
【００４５】
自動販売機制御器は、クレジットカード決済が選択されたことを認識し、クレジットカード決済モジュールに仮承認を要請（ステップＳ１０２０）する。仮承認要請金額は、自動販売機ごとに異ならせて設定しうる。クレジットカード決済仮承認が完了する前には、商品選択ボタンが活性化されない。
【００４６】
カード決済モジュールは、仮承認を受け（ステップＳ１０４０）、自動販売機制御器にクレジットカードが仮承認完了に該当する制御信号を伝送（ステップＳ１０６０）する。自動販売機制御器は、商品選択ボタンを活性化する。顧客が商品を選択（ステップＳ１０８０）すれば、自動販売機制御器が決済を要求（ステップＳ１１００）し、カード決済モジュールは、カード社から選択された商品金額ほど決済承認を受けた後（ステップＳ１１２０）、自動販売機制御器に決済済みを知らせ（ステップＳ１１４０）、商品排出を要求する。自動販売機制御器は、商品を排出（ステップＳ１１６０）し、取引を終了する。
【００４７】
図５は、クレジットカード決済モジュールを代替したモバイル決済端末機の決済の流れの概念を示すフローチャートである。
【００４８】
モバイル決済端末機１００が、自動販売機内にクレジットカード決済モジュールを代替して設けられた場合には、モバイル決済端末機１００が、クレジットカード決済モジュールの決済プロセスをエミュレーションする。
【００４９】
顧客がモバイル端末に設けられたアプリケーションで商品購買を進行（ステップＳ２０００）させれば、モバイル端末からモバイル決済端末機１００にモバイル決済が選択されたことを知らせる（ステップＳ２０２０）。モバイル決済端末機１００は、クレジットカードがクレジットカードリーダー機に接触されるか、読み取られたものと同じ制御信号を自動販売機制御器に伝送する（ステップＳ２０４０）。
【００５０】
自動販売機制御器は、クレジットカード決済が選択されたと認識し、モバイル決済端末機１００に仮承認を要請する（ステップＳ２０６０）。クレジットカード決済仮承認が完了する前には、商品選択ボタンが活性化されない。
【００５１】
モバイル決済端末機１００は、接続されたモバイル端末に仮承認を要請する（ステップＳ２０８０）。モバイル端末に設けられたアプリケーションを通じて仮承認を受けて（ステップＳ２１００）、モバイル決済端末機１００に仮承認完了を通知する（ステップＳ２１２０）。
【００５２】
モバイル決済端末機１００は、自動販売機制御器に仮承認完了を通知し（ステップＳ２１４０）、自動販売機制御器は、商品選択ボタンを活性化する。顧客が商品を選択すれば（ステップＳ２１６０）、自動販売機制御器が決済を要求し（ステップＳ２１８０）、モバイル決済端末機１００は、モバイル端末に決済を要請する（ステップＳ２２００）。
【００５３】
モバイル端末においてカード社から決済承認を受けて（ステップＳ２２２０）、決済が完了すれば、モバイル決済端末機１００に決済済みを通知する（ステップＳ２２４０）。
【００５４】
モバイル決済端末機１００は、クレジットカード決済モジュールをエミュレーションして、決済済みを自動販売機制御器に通知し（ステップＳ２２６０）、商品排出を要請する。自動販売機制御器は、商品を排出し（ステップＳ２２８０）、取引を終了する。
【００５５】
図４と図５とに示したように、自動販売機制御器とモバイル決済端末機１００との間は、クレジットカード決済モジュールの決済の流れと同様に進行する。
【００５６】
クレジットカード決済モジュールは、商品が選択されれば、自体通信モジュールを通じてカード決済を処理し、承認完了時に、自動販売機制御部に決済済みを知らせて商品を排出するように動作し、モバイル決済端末機１００は、クレジットカード決済モジュールをエミュレーションするが、クレジットカード決済モジュールとは異なって、決済のための自体通信モジュールを備えていないので、顧客のモバイル端末にその金額ほど決済を要求し、顧客のモバイル端末で決済が完了すれば、自動販売機制御部に決済済みを知らせて商品を排出するように動作する。
【００５７】
図６は、さらに他の実施形態によるモバイル決済端末機の自動販売機内のバス連結を示すブロック図である。本実施形態は、現金決済モジュールのみ設けられてモバイル決済端末機１００を、自動販売機の内部シリアル通信バスに追加して設置することができない場合、現金決済モジュールと同一の固有のＩＤを使用するように設置して、スイッチ制御で選択的にバスに連結させたものである。
【００５８】
さらに他の態様によるモバイル決済端末機１００は、近距離通信部４００と、バスインターフェース部３００と、制御部２００と、を含む。
【００５９】
この態様によれば、バスインターフェース部３００は、第１連結端３１０と、第２連結端３２０と、第３連結端３３０と、決済選択スイッチ３４０と、を含みうる。第１連結端３１０は、既存の決済モジュールが連結される。自動販売機は、現金決済モジュールを備えているので、現金決済モジュールが連結されることが一般的である。第２連結端３２０は、モバイル決済端末機１００の回路と連結される。第３連結端３３０は、自動販売機制御器の入出力バスに連結される。決済選択スイッチ３４０は、選択された決済方法によって、第１連結端３１０と第２連結端３２０とのうち何れか１つを第３連結端３３０に連結する。
【００６０】
すなわち、現金決済方法が選択されれば、決済選択スイッチ３４０は、第１連結端３１０と第３連結端３３０とを連結し、モバイル決済が選択されれば、決済選択スイッチ３４０は、第２連結端３２０と第３連結端３３０とを連結する。
【００６１】
この態様によれば、制御部２００は、モバイル選択部２４０をさらに含みうる。
【００６２】
モバイル選択部２４０は、近距離通信部４００で連結されたモバイル端末機から取引要請を受ければ、決済選択スイッチ３４０を第２連結端３２０に連結するように制御する。
【００６３】
この態様によれば、モバイル決済処理部２２０は、現金決済モジュールの決済プロセスをエミュレーションして、選択された商品の販売金額に該当する金額を近距離通信部４００で連結されたモバイル端末機に決済要請し、モバイル端末機から決済済みが確認されれば、決済済みメッセージをバスインターフェース部３００を通じて伝達して、商品排出を要求する。
【００６４】
さらに他の態様によるモバイル決済端末機１００は、近距離通信部４００と、バスインターフェース部３００と、制御部２００と、を含む。この態様によれば、制御部２００は、デフォルト動作制御部２６０をさらに含みうる。
【００６５】
この態様によるデフォルト動作制御部２６０は、第１連結端３１０に既存の決済モジュールが連結されれば、デフォルトで決済選択スイッチ３４０が第１連結端３１０と第３連結端３３０とを連結し、第１連結端３１０に既存の決済モジュールが連結されなければ、デフォルトで決済選択スイッチ３４０が第２連結端３２０と第３連結端３３０とを連結するように制御することができる。
【００６６】
既存の自動販売機は、現金決済モジュールのみ備えた自動販売機もあり、クレジットカード決済モジュールも共に備えた自動販売機もある。自動販売機制御器は、それぞれの決済モジュールと通信を固有のＩＤに区分する。したがって、決済モジュールごとにそれぞれ異なる固有のＩＤが付与されなければならない。
【００６７】
普及された自動販売機中に決済モジュールを１つのみ設置することができる自動販売機、すなわち、固有のＩＤを１つのみ付与することができる自動販売機もあり、それぞれ異なる固有のＩＤを付与することができる自動販売機もある。他種の自動販売機であっても、同じモバイル決済端末機１００が設けなければならない。
【００６８】
この態様によるデフォルト動作制御部２６０は、このような問題点を解決することができる。
【００６９】
デフォルト動作制御部２６０は、第１連結端３１０に既存の決済モジュールの連結如何を有し、このような自動販売機を区分することができる。すなわち、現金決済モジュールのみ備えた自動販売機は、現金決済モジュールを第１連結端３１０に連結した後、現金決済モジュールをデフォルトにして運用し、クレジットカード決済モジュールを代替して設けられる場合には、現金決済モジュールを第１連結端３１０に連結しないので、モバイル決済端末機１００をデフォルトで連結して運用することができる。
【００７０】
図７は、さらに他の態様によるモバイル決済端末機が自動販売機の内部に連結されることを示すブロック図である。図７に示したように、さらに他の態様によるモバイル決済端末機１００は、自動販売機制御器と現金決済モジュールのバス連結との間に連結されて設けられることもある。
【００７１】
この態様では、現金決済モジュールとモバイル決済端末機１００は、同じ固有ＩＤを使用するので、２つのうち何れか１つのみ選択的に動作する。
【００７２】
モバイル決済端末機１００のバスインターフェース部３００に含まれた決済選択スイッチ３４０が、現金決済モジュールとモバイル決済端末機１００とを選択して自動販売機制御器と連結する。スイッチ制御によって現金決済モジュールと連結されれば、モバイル決済端末機１００は、バス連結から除外されて、現金決済が可能となり、モバイル決済端末機１００と連結されれば、現金決済モジュールが除外されて、モバイル決済が可能となる。
【００７３】
図８は、現金決済モジュールを利用した既存の自動販売機の決済の流れの概念を示すフローチャートである。顧客が現金を投入すれば、現金決済モジュールは、自動販売機制御器に現金投入を知らせ（ステップＳ３０００）、自動販売機制御器は、投入された金額で購入することができる商品に対して商品選択ボタンを活性化する。
【００７４】
この際、顧客が商品を選択すれば（ステップＳ３０２０）、自動販売機制御器が決済を要求し（ステップＳ３０４０）、現金決済モジュールは決済を行い、残高があれば、残高を返還し（ステップＳ３０６０）、自動販売機制御器に決済済みを知らせ（ステップＳ３０８０）、商品排出を要求する。自動販売機制御器は、商品を排出し（ステップＳ３１００）、取引を終了する。
【００７５】
図９は、現金決済モジュールをエミュレーションするモバイル決済端末機１００の決済の流れの概念を示すフローチャートである。顧客がモバイル端末に設けられたアプリケーションで商品購買を進行させれば、モバイル決済端末機１００が現金が投入されたようにエミュレーションして、現金投入を知らせ（ステップＳ４０００）、自動販売機制御器は、商品選択ボタンを活性化する。但し、この場合には、自動販売機で購買することができる商品のうち、最も高い価格の商品の金額ほど現金が投入されたようにエミュレーションする。
【００７６】
この際、顧客が商品を選択すれば（ステップＳ４０２０）、自動販売機制御器が決済を要求し（ステップＳ４０４０）、モバイル決済端末機１００は、それをモバイル端末機に伝送する（ステップＳ４０６０）。モバイル端末機で決済承認を受けて（ステップＳ４０８０）、モバイル決済端末機１００に決済済みを通知すれば（ステップＳ４１００）、モバイル決済端末機１００も、自動販売機制御器に残高を０にして決済済みを知らせ（ステップＳ４１２０）、商品排出を要求する。自動販売機制御器は、商品を排出し（ステップＳ４１４０）、取引を終了する。
【００７７】
自動販売機制御器は、現金決済がなされたと分かり、品物を排出するが、実際には、モバイル決済を通じて商品が排出される。
【００７８】
図８と図９とに示したように、自動販売機制御器とモバイル決済端末機１００との間は、残高返還を除き、現金決済モジュールの決済の流れと同様に進行する。
【００７９】
さらに他の態様によるモバイル決済端末機１００は、近距離通信部４００と、バスインターフェース部３００と、制御部２００と、を含む。この態様によれば、モバイル決済端末機１００は、近距離通信部４００で連結されたモバイル端末機から取引要請を受ければ、最初現金が最も高い製品の金額ほど投入されたと表示して、製品選択ボタンを活性化させ、決済後には、残高が０に処理されるように作動することができる。
【００８０】
実際に自動販売機に現金が投入されないために、顧客自動販売機で販売する如何なる商品でも選択できるように、最も高い製品の金額ほど投入されたと処理して、あらゆる商品に対する製品選択ボタンを活性化させ、決済は、選択した商品の金額ほどのみなされるので、残高を返還しないように、残高を０に表示するか、差引後、残高を表示しても残高を返還しないように、残高返還要請を行わないと処理する。
【００８１】
さらに他の態様によるモバイル決済端末機１００は、近距離通信部４００と、バスインターフェース部３００と、制御部２００と、を含む。この態様によれば、モバイル決済端末機１００は、近距離通信部４００で連結されたモバイル端末機から取引要請を受ければ、既定の金額ほど投入されたと表示して、製品選択ボタンを活性化させ、製品選択時ごとに製品金額ほど決済要請し、決済済み後、商品を排出し、連続して製品購買が可能になるように残高を表示することができる。
【００８２】
実際に自動販売機に現金が投入されないが、自動販売機で製品を連続して購買できるように、顧客自動販売機で既定の金額ほど投入されたと処理して、あらゆる商品に対する製品選択ボタンを活性化させ、決済は、選択した商品の金額ほどのみモバイル端末機に決済要請を行い、モバイル端末機から決済済みを受信すれば、商品を排出し、残りの残高を表示して、連続して商品購買を行うようにする。この際、顧客が自動販売機で再び商品を選択すれば、該選択された商品の金額ほど再び決済し、残高を表示して、引き続き商品を選択可能にする。
【００８３】
但し、この場合には、モバイル端末機で取引終了を指示するか、顧客が自動販売機の残高返還レバーを回すようにして、取引を終了可能にする。発明のさらに他の態様によれば、顧客が取引終了をしないとしても、ビーコン通信部で顧客が自動販売機から一定距離以上離れれば、自動で取引を終了させる。
【００８４】
さらに他の態様によるモバイル決済端末機１００は、近距離通信部４００と、バスインターフェース部３００と、制御部２００と、を含み、ビーコン通信部５００をさらに含む。
【００８５】
ビーコン通信部５００で使用するビーコンは、ブルートゥース低電力（Ｂｌｕｅｔｏｏｔｈ  Ｌｏｗ  Ｅｎｅｒｇｙ、ＢＬＥ）ビーコンを使用することができる。但し、これに限定されるものではなく、低周波ビーコン、ＬＥＤビーコン、Ｗｉ−Ｆｉ（登録商標）ビーコンなどが使われる。ここでは、ＢＬＥビーコンを使用する場合を中心に説明する。
【００８６】
ビーコン通信部５００は、ＢＬＥ４．０標準のアドバタイジングパケット（Ａｄｖｅｒｔｉｓｉｎｇ  ｐａｃｋｅｔ）を活用してブロードキャスティングする。モバイル決済端末機１００のアドバタイジングパケットを受信したモバイル端末は、モバイル決済のためのアプリケーションを自動で駆動させることができる。さらに他の態様によれば、ビーコン通信部５００のビーコンＩＤまたは自動販売機の識別情報をサービスサーバに伝送して、自動販売機の行事情報や割引クーポンなどを受信することもできる。
【００８７】
ビーコン通信部５００は、モバイル端末と１対ｎで動作する。したがって、特定の顧客がアドバタイジングパケットを受信しても、他の顧客も同じアドバタイジングパケットを受信することができる。但し、自動販売機で商品を購買するためには、モバイル決済端末機１００の近距離通信部４００とペアリングされて接続されるので、同時に自動販売機で商品を購買することはできない。
【００８８】
さらに他の態様によるモバイル決済端末機１００は、近距離通信部４００と、バスインターフェース部３００と、制御部２００と、ビーコン通信部５００と、を含み、制御部２００は、使用中表示部２８０をさらに含みうる。
【００８９】
この態様による使用中表示部２８０は、近距離通信部４００を通じてモバイル端末機が連結されれば、ビーコン通信部５００が、現在自動販売機が使用中であることを知らせるメッセージをブロードキャスティングするように制御する。
【００９０】
自動販売機は、同時に多くの顧客が商品を購買することができないので、近距離通信部４００は、１対１連結を支援する。一方、ビーコン通信部５００から多くの顧客が同時に同じアドバタイジングパケットを受信することができるので、同時に接続を試みることができる。
【００９１】
この際、自動販売機に接続されていない顧客は、接続されていない原因が分からないので、使用中表示部２８０は、特定の顧客が近距離通信部４００とペアリングされて連結されれば、アドバタイジングパケットを使用中であることを知らせるメッセージに変更して伝送させうる。
【００９２】
以上、本発明を添付図面を参照する実施形態を通じて説明したが、これに限定されるものではなく、これらから当業者ならば、自明に導出することができる多様な変形例を包括するように解析されねばならない。特許請求の範囲は、このような変形例を包括するように意図された。
【産業上の利用可能性】
【００９３】
本発明は、自動販売機に連結するモバイル決済端末機関連の技術分野に適用可能である。
【符号の説明】
【００９４】
１００：モバイル決済端末機
２００：制御部
２２０：モバイル決済処理部
２４０：モバイル選択部
２６０：デフォルト動作制御部
２８０：使用中表示部
３００：バスインターフェース部
３１０：第１連結端
３２０：第２連結端
３３０：第３連結端
３４０：決済選択スイッチ
４００：近距離通信部
５００：ビーコン通信部
【図１】
2019036292.tif 000003
【図２】
2019036292.tif 000004
【図３】
2019036292.tif 000005
【図４】
2019036292.tif 000006
【図５】
2019036292.tif 000007
【図６】
2019036292.tif 000008
【図７】
2019036292.tif 000009
【図８】
2019036292.tif 000010
【図９】
2019036292.tif 000011